(57)【要約】【課題】新規な係止機構を有する遊技機用施錠装置を提供する。【解決手段】遊技機の外枠に回動可能に取付けられた前枠を施錠・解錠する遊技機用施錠装置１であって、前枠に取付けられるベース部材２と、ベース部材２に対して直線移動可能に設けられる係止部材３，４と、外枠に設けられる受部と、係止部材３，４を受部に向けて付勢して係止部材を受部に挿入させる付勢部材７と、ベース部材２に取付けられるシリンダ錠６の錠軸６ａに連動して係止部材３，４を付勢部材７の付勢力に抗して直線移動させて係止部材３，４を受部から引抜き係止解除する係止解除機構５とを有している。【選択図】図２
2008018056.tif 000002
【特許請求の範囲】
【請求項１】
遊技機の外枠に回動可能に取付けられた前枠を施錠・解錠する遊技機用施錠装置であって、
前記前枠に取付けられるベース部材と、そのベース部材に対して直線移動可能に設けられる係止部材と、前記外枠に設けられる受部と、前記係止部材を前記受部に向けて付勢して前記係止部材を前記受部に挿入させる付勢部材と、前記ベース部材に取付けられるシリンダ錠の錠軸に連動して前記係止部材を前記付勢部材の付勢力に抗して直線移動させて前記係止部材を前記受部から引抜き係止解除する係止解除機構とを有していることを特徴とする遊技機用施錠装置。
【請求項２】
請求項１に記載の遊技機用施錠装置であって、
係止解除機構は、ベース部材の上下部に直線移動可能に設けられた一対の係止部材とシリンダ錠の錠軸とを連動させるために、前記ベース部材に回動可能に設けられる回動部材と、前記回動部材と前記一対の係止部材とに回動可能に連結される一対のリンクとを有し、前記一対の係止部材または前記一対のリンクの一つがシリンダ錠の錠軸に固定されたカムから力を受けると、前記回動部材と前記一対のリンクによって前記一対の係止部材が連動して受部から引抜かれる方向に直線移動することを特徴とする遊技機用施錠装置。
【請求項３】
請求項２に記載の遊技機用施錠装置であって、
係止解除機構は、ベース部材によって後ろ側と左右側が上下全長に渡って覆われ、
一対の係止部材は、前記ベース部材に対して上下に直線移動することで前記ベース部材の上端部または下端部から出没する方向に直線移動する構成になっていることを特徴とする遊技機用施錠装置。
【発明の詳細な説明】
【技術分野】
【０００１】
本発明は、遊技機の外枠に回動可能に取付けられた前枠を施錠・解錠するための遊技機用施錠装置に関する。
【背景技術】
【０００２】
様々なタイプの施錠装置が従来知られており、例えば特許文献１，２に記載の施錠装置が知られている。特許文献１の施錠装置は、遊技機の前枠側に傾動可能に設けられた一対の鉤部材と、外枠に設けられた一対の受部を有しており、鉤部材が受部に下側から係止する構成になっていた。特許文献２の施錠装置は、前枠側に設けられたメス部材と、外枠側に設けられたオス部材とを有しており、メス部材に挿入されたオス部材をメス部材に設けた抜止機構によって抜止めする構成になっていた。
【特許文献１】特開２００４−１４１２５６号公報
【特許文献２】特開２００６−４３０９７号公報
【発明の開示】
【発明が解決しようとする課題】
【０００３】
本発明は、従来の構成と異なる新規な係止機構を有する遊技機用施錠装置を提供することを課題とする。
【課題を解決するための手段】
【０００４】
前記課題を達成するために本発明は、各請求項に記載の通りの構成を備える遊技機用施錠装置であることを特徴とする。
請求項１に記載の発明によると、前枠に取付けられるベース部材と、そのベース部材に対して直線移動可能に設けられる係止部材と、外枠に設けられる受部と、係止部材を受部に向けて付勢して係止部材を受部に挿入させる付勢部材と、ベース部材に取付けられたシリンダ錠の錠軸に連動して係止部材を付勢部材の付勢力に抗して直線移動させて係止部材を受部から引抜き係止解除する係止解除機構とを有している。
【０００５】
したがって係止部材は、付勢部材の付勢力を利用して直線移動して受部に係止し、これによって施錠装置が施錠状態になる。そしてシリンダ錠の錠軸を回動させると、係止部材が錠軸に連動する係止解除機構によって直線移動し、受部から引抜かれ、これによって施錠装置が解錠状態になる。そのため施錠装置は、斬新な構成を有し、かつ斬新な動作を奏する係止機構を備えた構成になっている。
【０００６】
請求項２に記載の発明によると、係止解除機構は、ベース部材の上下部に直線移動可能に設けられた一対の係止部材とシリンダ錠の錠軸とを連動させるために、ベース部材に回動可能に設けられる回動部材と、回動部材と一対の係止部材とに回動可能に連結される一対のリンクとを有している。そして一対の係止部材または一対のリンクの一つがシリンダ錠の錠軸に固定されたカムから力を受けると、回動部材と一対のリンクによって一対の係止部材が受部から引抜かれる方向に連動して直線移動する。
【０００７】
したがってシリンダ錠の錠軸を回動させるとカムが回動し、係止部材またはリンクの一つがカムから力を受けて、回動部材が回動し、リンクによって一対の係止部材が連動して受部から引抜かれて係止解除される。
【０００８】
請求項３に記載の発明によると、係止解除機構は、ベース部材によって後ろ側と左右側が上下全長に渡って覆われている。そして一対の係止部材は、ベース部材に対して上下に直線移動することでベース部材の上端部または下端部から出没する方向に直線移動する構成になっている。
【０００９】
したがって係止解除機構の不正操作（不正解錠）がベース部材によって防止される。また係止部材は、ベース部材に対して上下に直線移動し、かつベース部材に対して出没する方向に移動するために、従来の傾動する係止部材に比べて不正操作され難い構成になっている。
【発明の効果】
【００１０】
本発明によれば、新規な係止機構を有する遊技機用施錠装置が構成される。
【発明を実施するための最良の形態】
【００１１】
本発明の実施形態を図１〜７にしたがって説明する。
本形態に係る施錠装置１は、図１に示すようにパチンコ機またはスロット機等の遊技機２０に用いられる施錠装置である。遊技機２０は、外枠２１と前枠２２を有している。
【００１２】
外枠２１は、図１に示すように矩形状であって、上下左右の枠部材２１ａ〜２１ｄと、枠部材２１ａ〜２１ｄを連結する連結部材２１ｆ〜２１ｉと、下側前面を構成する幕板２１ｅを有している。上下枠部材２１ａ，２１ｂと幕板２１ｅは、木製であり、左右の枠部材２１ｃ，２１ｄは、金属製である。連結部材２１ｆ〜２１ｉは、左右の枠部材２１ｃ，２１ｄの枠内側面に取付けられる本体部と、本体部から上方または下方に突出して上下の枠部材２１ａ，２１ｂの左右端部に形成された溝部（例えば２１ａ１）に嵌め込まれるほぞ部（例えば図５に示す２１ｆ１，２１ｇ１）とを有している。
【００１３】
前枠２２は、図１に示すように板状であって中央部に開口窓２２ａを有している。前枠２２の左側の上部と下部は、ヒンジ２３，２４を介して外枠２１に回動可能に取付けられており、外枠２１に対して開いた位置と閉じた位置との間で回動する。そして閉じた位置にて前枠２２は、施錠装置１によって施錠・解錠される。
【００１４】
施錠装置１は、図１に示すように前枠２２に設けられる前枠側施錠装置１ａと、外枠２１に設けられる一対の受部１０，１１を有している。前枠側施錠装置１ａは、図２，３に示すようにベース部材２を有しており、ベース部材２に係止部材３，４と、係止解除機構５、シリンダ錠６が取付けられる。
【００１５】
ベース部材２は、図４に示すように断面コ字状の本体２ａと、本体２ａと別個に形成された錠裏面カバー体２ｂを有している。本体２ａは、左右の側面２ａ１，２ａ２と裏面２ａ３を有しており、係止解除機構５の後ろ側と左右側を上下全長に渡って覆う。本体２ａの上下中間位置には、シリンダ錠６が取付けられるシリンダ錠取付部２ａ４が形成されている。
【００１６】
シリンダ錠取付部２ａ４は、図２，４に示すように本体２ａの上下中間位置の左側部に形成されており、シリンダ錠６が後方から挿通される。そしてシリンダ錠取付部２ａ４にシリンダ錠６のフランジ部６ｂが取付けられ、続いて錠裏面カバー体２ｂが取付けられる。これにより錠裏面カバー体２ｂがシリンダ錠６と、シリンダ錠６に固定されたカム８の後方と左側を覆う。
【００１７】
ベース部材２の本体２ａ内には、図４に示すように係止部材３，４と係止解除機構５が取付けられる。係止部材３，４は、金属製の係止部材本体３ａ，４ａと、樹脂製または硬質ゴム製の先端部材３ｂ，４ｂとを有している。係止部材本体３ａ，４ａには、上下に延出する一対の長穴３ａ１，４ａ１が形成されており、長穴３ａ１，４ａ１に挿通されたピン１２，１３によって係止部材本体３ａ，４ａがベース部材２に対して上下に直線移動可能に取付けられる。
【００１８】
先端部材３ｂ，４ｂは、図４に示すように係止部材本体３ａ，４ａの先端を覆うように取付けられる。先端部材３ｂ，４ｂの先端には、傾斜面３ｂ１，４ｂ１が形成されており、傾斜面３ｂ１，４ｂ１は、後上方または後下方に向いている。係止部材４には、カム８に向けて張り出す力受部４ａ２が形成されており、力受部４ａ２は、カム８に形成された突片８ａによって上方への力を受ける。
【００１９】
係止解除機構５は、図４に示すように回動部材５ａと一対のリンク５ｂ，５ｃを有している。回動部材５ａは、中心部５ａ１がピン１４によってベース部材２に回動可能に取付けられる。リンク５ｂ，５ｃは、一端部が回動部材５ａの取付部５ａ２，５ａ３に回動可能に連結され、他端部が係止部材３，４の基端部に回動可能に連結される。回動部材５ａの取付部５ａ２は、中心部５ａ１よりも奥側（図４右側）に形成されており、取付部５ａ３は、中心部５ａ１よりも手前側（図４左側）に形成されている。
【００２０】
リンク５ｂには、図４に示すようにリンク５ｂを上方に付勢する付勢部材（例えばコイルスプリング）７の一端部が取付けられ、付勢部材７の他端部は、ガラス板用施錠部材９に取付けられる。したがって付勢部材７は、リンク５ｂを介して上側の係止部材３を上方に付勢し、リンク５ｂ、回動部材５ａ、リンク５ｃを介して下側の係止部材４を下方に付勢する。そのため上側の係止部材３は、図２に示すようにベース部材２の上端部から突出し、下側の係止部材４は、ベース部材２の下端部から突出する。
【００２１】
ガラス板用施錠部材９は、図４に示すようにベース部材２内において上下方向に移動可能に取付けられる。ガラス板用施錠部材９は、カム８の突片８ｂによって押上げられる力受部９ａを有し、上方に移動することで前枠２２に回動可能に取付けられたガラス枠を解錠状態にする。
【００２２】
図１，５（Ａ）に示すように受部１０は、連結部材２１ｆに一体に設けられ、外枠２１の枠内右上位置に設けられる。受部１０には、下側に開口する挿入部１０ａと、下端前部を開口する入口部１０ｂが形成され、図６に示すように挿入部１０ａに係止部材３の先端部が挿入される。
【００２３】
図１，５（Ｂ）に示すように受部１１は、連結部材２１ｇに一体に設けられ、外枠２１の枠内右下位置でかつ幕板２１ｅ裏側位置に設けられる。受部１１には、上側に開口する挿入部１１ａと、上端前部を開口する入口部１１ｂが形成され、挿入部１１ａに係止部材４の先端部が挿入される。
【００２４】
施錠装置１を施錠状態にする場合は、先ず、前枠２２を外枠２１に対して開き位置から閉じ位置に向けて回動させる（図１参照）。これにより前枠２２側に設けられた係止部材３，４が受部１０，１１に当接し、係止部材３，４は、傾斜面３ｂ１，４ｂ１を利用してベース部材２に没する方向に移動する。そして係止部材３，４が受部１０，１１の挿入部１０ａ，１１ａに対応する位置に到達し、係止部材３，４が付勢部材７の付勢力を利用して受部１０，１１の挿入部１０ａ，１１ａに突入し係止する（図６参照）。
【００２５】
施錠装置１を解錠状態にする場合は、先ずシリンダ錠６に鍵を差込み、鍵を右方向に回す（図３，４参照）。これによりカム８が回転し、係止部材４がカム８の突片８ａによって上方に押され、係止部材４が受部１１から引抜かれて係止解除される。上側の係止部材３も、図７に示すようにリンク５ｂ，５ｃと回動部材５ａを介して下方に移動して、受部１０から引抜かれて係止解除される。かくして施錠装置１は、解錠状態になる。
【００２６】
以上のようにして施錠装置１が形成されている。
すなわち施錠装置１は、図１，４に示すように前枠２２に取付けられるベース部材２と、ベース部材２に対して直線移動可能に設けられる係止部材３，４と、外枠２１に設けられる受部１０，１１と、係止部材３，４を受部１０，１１に向けて付勢して係止部材３，４を受部１０，１１に挿入させる付勢部材７と、ベース部材２に取付けられたシリンダ錠６の錠軸６ａに連動して係止部材３，４を付勢部材７の付勢力に抗して直線移動させて係止部材３，４を受部１０，１１から引抜き係止解除する係止解除機構５とを有している。
【００２７】
したがって係止部材３，４は、付勢部材７の付勢力を利用して直線移動して受部１０，１１に係止し、これによって施錠装置１が施錠状態になる。そしてシリンダ錠６の錠軸６ａを回動させると、係止部材３，４が錠軸６ａに連動する係止解除機構５によって直線移動し、受部１０，１１から引抜かれ、これによって施錠装置１が解錠状態になる。そのため施錠装置１は、斬新な構成を有し、かつ斬新な動作を奏する係止機構を備えた構成になっている。
【００２８】
また係止解除機構５は、図４に示すようにベース部材２に回動可能に設けられる回動部材５ａと、回動部材５ａと一対の係止部材３，４とに回動可能に連結される一対のリンク５ｂ，５ｃとを有している。そして係止部材４がシリンダ錠６の錠軸６ａに固定されたカム８から力を受けると、回動部材５ａと一対のリンク５ｂ，５ｃによって一対の係止部材３，４が受部１０，１１から引抜かれる方向に連動して直線移動する。
【００２９】
したがってシリンダ錠６の錠軸６ａを回動させるとカム８が回動し、係止部材４がカム８から力を受けて、回動部材５ａが回動し、リンク５ｂ，５ｃによって一対の係止部材３，４が連動して受部１０，１１から引抜かれて係止解除される（図７参照）。
【００３０】
また係止解除機構５は、図２に示すようにベース部材２によって後ろ側と左右側が上下全長に渡って覆われている。そして一対の係止部材３，４は、ベース部材２に対して上下に直線移動することでベース部材２の上端部または下端部から出没する方向に直線移動する構成になっている。
【００３１】
したがって係止解除機構５の不正操作（不正解錠）がベース部材２によって防止される。また係止部材３，４は、ベース部材２に対して上下に直線移動し、かつベース部材２に対して出没する方向に移動するために、従来の傾動する係止部材に比べて不正操作され難い構成になっている。
【００３２】
（他の実施の形態）
本発明は、上記の実施の形態に限定されず、以下の形態であっても良い。
（１）例えば上記の実施の形態は、図４に示すように係止部材４に力受部４ａ２が形成されていた。しかしリンク５ｂ，５ｃまたは上側の係止部材３に力受部が設けられ、この力受部がカムから力を受けて、回動部材と一対のリンクによって一対の係止部材が外枠に設けられた受部から引抜かれる方向に連動する構成になっていても良い。
（２）上記の実施の形態に係る係止部材は、上下に直線移動する構成になっていたが、外枠に向けて側方（例えば右方向）に直線移動し、外枠側に設けられた受部に突入する構成になっていても良い。
【図面の簡単な説明】
【００３３】
【図１】遊技機の斜視図である。
【図２】施錠装置の斜視図である。
【図３】ベース部材を除いた状態の施錠装置の斜視図である。
【図４】施錠装置の分解斜視図である。
【図５】受部の斜視図である。
【図６】施錠状態にする様子を示した施錠装置の一部断面図である。
【図７】解錠状態にする様子を示した施錠装置の一部断面図である。
【符号の説明】
【００３４】
１・・・施錠装置
１ａ・・・前枠側施錠装置
２・・・ベース部材
３，４・・・係止部材
４ａ２・・・力受部
５・・・係止解除機構
５ａ・・・回動部材
５ｂ，５ｃ・・・リンク
６・・・シリンダ錠
６ａ・・・錠軸
７・・・付勢部材
８・・・カム
９・・・ガラス板用施錠部材
１０，１１・・・受部
１０ａ，１１ａ・・・挿入部
２０・・・遊技機
２１・・・外枠
２１ｆ〜２１ｉ・・・連結部材
２２・・・前枠
【図１】
2008018056.tif 000003
【図２】
2008018056.tif 000004
【図３】
2008018056.tif 000005
【図４】
2008018056.tif 000006
【図５】
2008018056.tif 000007
【図６】
2008018056.tif 000008
【図７】
2008018056.tif 000009